(57)【要約】      （修正有） 【課題】簡易な構造で雨などを遮る面積を効率よく増大することができ、かつ軽く、使いやすい偏心傘を提供する。【解決手段】シャフトと、シャフトに摺動自在に設けるメインランナー２と、シャフトの上端と、メインランナー２とに接続するとともに、シャフト側の一端が外方向に延伸する可動メインフレームと、可動メインフレームの外方向に延伸する一端に設けるサブノッチ４及びサブランナー５と、サブノッチ４及びサブランナー５に接続する傘骨６とを含んでなり、かつ可動メインフレームが第１メイン桿体３１と、第２メイン桿体３２と、２本の連結桿３３とによってなり、２本の連結桿３３は下端がそれぞれ第１メイン桿体３１の内側の一端と第２メイン桿体３２とに回動自在に接続し、第１メイン桿体３１と、第２メイン桿体３２とは、交差させてシャフトの上端に設け、別途傘骨６を位置決めする位置決め桿７を設ける。【選択図】図１６
0003198071.tif 000002
【実用新案登録請求の範囲】
【請求項１】
シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
別途、一端が該可動メインフレームの両側に回動自在に接続し、他端が該シャフトの上端と、該シャフトの上端に設けた該メインノッチ及び該メインランナーか、もしくは該可動メインフレーム上の位置決め桿とに回動自在に接続して該可動メインフレーム両側の該傘骨を展開して開傘する場合に位置決めする位置決め部を具え、
該可動メインフレームが第１メイン桿体と、第２メイン桿体と、２本の連結桿とによってなり、２本の該連結桿は下端がそれぞれ該第１メイン桿体の内側の一端と該第２メイン桿体とに回動自在に接続し、かつ該第１メイン桿体と、第２メイン桿体とは、交差させて該シャフトの上端に設けるとともに、該第１メイン桿体と、該第２メイン桿体との外方向に延伸する一端には該サブノッチと該サブランナーとを設け、該サブノッチと該サブランナーに該傘骨を設けて、該傘骨の支持する傘面の中心が該シャフトからずれた偏心構造を構成することを特徴とする偏心傘。
【請求項２】
シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
別途、該可動メインフレームの両側の該傘骨を展開して開傘する位置決めする位置決め部を設け、該位置決め部が、一端が該可動メインフレームの両側の該傘骨に回動自在に接続し、かつ他端が該シャフトの上端と、該シャフトの上端に設けた該メインノッチ及び該メインランナーか、もしくは該可動メインフレーム上の位置決め桿とに回動自在に接続し、
該可動メインフレームが第１メイン桿体と、第２メイン桿体と、２本の連結桿とによってなり、２本の該連結桿は下端がそれぞれ該第１メイン桿体の内側の一端と該第２メイン桿体とに回動自在に接続し、かつ該第１メイン桿体と、第２メイン桿体とは、交差させて該メインランナーに設けるとともに、該第１メイン桿体と、該第２メイン桿体との外方向に延伸する一端には該サブノッチと該サブランナーとを設け、該サブノッチと該サブランナーに該傘骨を設けて、該傘骨の支持する傘面の中心が該シャフトからずれた偏心構造を構成することを特徴とする偏心傘。
【請求項３】
シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
該可動メインフレームが該シャフトの一方の側にＸ字状に交差する可動メインフレームであって、
別途、該可動メインフレームの両側の傘骨を展開して位置決めする位置決め部を具え、かつ該位置決め部が、交差する該可動メインフレーム上に設けるか、もしくは該可動メインフレームと該サブノッチ及び/もしくは該サブランナーとに設ける位置決めブロックであって、
該位置決め部が可動メインフレームのサブノッチかサブランナーが回動自在に接続する一端に突起し、かつ可該動メインフレーム両側の傘骨の間に嵌設されて開傘の位置決めを行う位置決めブロックであって、
該位置決め部と該可動メインフレームとが一体に形成されるか、もしくは組み立てて連結し、
該位置決め部を該可動メインフレームの該サブノッチを回動自在に接続する一端にのみに設けるか、もしくは該可動メインフレームの該サブランナーを回動自在に接続する一端にのみ設けるか、もしくは該サブノッチと、該サブランナーとに対応する位置にそれぞれ設けることを特徴とする偏心傘。
【請求項４】
シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
該可動メインフレームが該シャフトの一方の側にＸ字状に交差する可動メインフレームであって、
別途、該可動メインフレームの両側の傘骨を展開して位置決めする位置決め部を具え、かつ該位置決め部が該可動メインフレームに設けた第１位置決めブロックと、該サブノッチか該サブランナーに設けた第２位置決めブロックとによってなり、かつ該第１位置決めブロックと該第２位置決めブロックとが対応する傘骨を挟扼して開傘時における位置決めを行うことを特徴とする偏心傘。
【請求項５】
シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
該可動メインフレームが該シャフトの一方の側にＸ字状に交差する可動メインフレームであって、
別途、該可動メインフレームの両側の傘骨を展開して位置決めする位置決め部を具え、かつ該位置決め部が該交差する可動メインフレームに設けるか、もしくは該可動メインフレームと該サブノッチ及び／もしくはサブランナーとに設ける位置決めブロックであって、
該位置決め部を該可動メインフレームの両側に展開する傘骨に設けることを特徴とする偏心傘。
【考案の詳細な説明】
【技術分野】
【０００１】
この考案は、生活用品の技術分野における傘に関する。
【背景技術】
【０００２】
傘は陽光や雨が直被しないように遮るための用具であり、目下広く使用されている。現在使用されている傘には、主に長傘と折り畳み傘とを含む。但し、長傘であろうと、折り畳み傘であろうと、いずれもシャフトが傘面の中心を下方から支持し、かつ傘面はシャフトの外周から放射状に張り出す骨によって支持される。係る構造の傘は使用時においてシャフトを持って差す。然しながら、使用者は身体の前方でシャフトを持つため、使用者の立つ位置が傘面の中心の下方になく、傘面の中心より後方に偏る。係る状態では傘面が上から降下するものを遮る範囲が偏り、このため使用者の後方において効率よく雨などを遮ることができなくなり、使用者の不便を招く。
【考案の概要】
【考案が解決しようとする課題】
【０００３】
この考案は、簡易な構造で雨などを遮る面積を効率よく増大することができ、かつ軽く、使いやすい偏心傘を提供することを課題とする。
【課題を解決するための手段】
【０００４】
そこで、本考案者は従来の傘に見られる欠点に鑑み鋭意研究を重ねた結果、シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該可動メインフレームが第１メイン桿体と、第２メイン桿体と、２本の連結桿とによってなり、２本の該連結桿は下端がそれぞれ該１メイン桿体の内側の一端と該第２メイン桿体とに回動自在に接続し、該第１メイン桿体と、該第２メイン桿体とは、交差させて該シャフトの上端に設け、別途該傘骨を位置決めする位置決め部を設ける偏心傘によって課題を解決できる点に着眼し、係る知見に基づいて本考案を完成させた。
【０００５】
以下この考案について説明する。請求項１に記載する偏心傘は、シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
別途、一端が該可動メインフレームの両側に回動自在に接続し、他端が該シャフトの上端と、該シャフトの上端に設けた該メインノッチ及び該メインランナーか、もしくは該可動メインフレーム上の位置決め桿とに回動自在に接続して該可動メインフレーム両側の該傘骨を展開して開傘する場合に位置決めする位置決め部を具え、
該可動メインフレームが第１メイン桿体と、第２メイン桿体と、２本の連結桿とによってなり、２本の該連結桿は下端がそれぞれ該第１メイン桿体の内側の一端と該第２メイン桿体とに回動自在に接続し、かつ該第１メイン桿体と、第２メイン桿体とは、交差させて該シャフトの上端に設けるとともに、該第１メイン桿体と、該第２メイン桿体との外方向に延伸する一端には該サブノッチと該サブランナーとを設け、該サブノッチと該サブランナーに該傘骨を設けて、該傘骨の支持する傘面の中心が該シャフトからずれた偏心構造を構成する。
【０００６】
請求項２に記載する偏心傘は、シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
別途、該可動メインフレームの両側の該傘骨を展開して開傘する際に位置決めする位置決め部を設け、該位置決め部が、一端が該可動メインフレームの両側の該傘骨に回動自在に接続し、かつ他端が該シャフトの上端と、該シャフトの上端に設けた該メインノッチ及び該メインランナーか、もしくは該可動メインフレーム上の位置決め桿とに回動自在に接続し、
該可動メインフレームが第１メイン桿体と、第２メイン桿体と、２本の連結桿とによってなり、２本の該連結桿は下端がそれぞれ該第１メイン桿体の内側の一端と該第２メイン桿体とに回動自在に接続し、かつ該第１メイン桿体と、第２メイン桿体とは、交差させて該メインランナーに設けるとともに、該第１メイン桿体と、該第２メイン桿体との外方向に延伸する一端には該サブノッチと該サブランナーとを設け、該サブノッチと該サブランナーに該傘骨を設けて、該傘骨の支持する傘面の中心が該シャフトからずれた偏心構造を構成する。
【０００７】
請求項３に記載する偏心傘は、シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
該可動メインフレームが該シャフトの一方の側にＸ字状に交差する可動メインフレームであって、
別途、該可動メインフレームの両側の傘骨を展開して位置決めする位置決め部を具え、かつ該位置決め部が、交差する該可動メインフレーム上に設けるか、もしくは該可動メインフレームと該サブノッチ及び/もしくは該サブランナーとに設ける位置決めブロックであって、
該位置決め部が可動メインフレームのサブノッチかサブランナーが回動自在に接続する一端に突起し、かつ可該動メインフレーム両側の傘骨の間に嵌設されて開傘の位置決めを行う位置決めブロックであって、
該位置決め部と該可動メインフレームとが一体に形成されるか、もしくは組み立てて連結し、
該位置決め部を該可動メインフレームの該サブノッチを回動自在に接続する一端にのみに設けるか、もしくは該可動メインフレームの該サブランナーを回動自在に接続する一端にのみ設けるか、もしくは該サブノッチと、該サブランナーとに対応する位置にそれぞれ設ける。
【０００８】
請求項４に記載する偏心傘は、シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
該可動メインフレームが該シャフトの一方の側にＸ字状に交差する可動メインフレームであって、
別途、該可動メインフレームの両側の傘骨を展開して位置決めする位置決め部を具え、かつ該位置決め部が該可動メインフレームに設けた第１位置決めブロックと、該サブノッチか該サブランナーに設けた第２位置決めブロックとによってなり、かつ該第１位置決めブロックと該第２位置決めブロックとが対応する傘骨を挟扼して開傘時における位置決めを行う。
【０００９】
請求項５に記載する偏心傘は、シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該傘骨の支持する傘面の中心が該シャフトからずれて偏心構造を形成し、
該可動メインフレームが該シャフトの一方の側にＸ字状に交差する可動メインフレームであって、
別途、該可動メインフレームの両側の傘骨を展開して位置決めする位置決め部を具え、かつ該位置決め部が該交差する可動メインフレームに設けるか、もしくは該可動メインフレームと該サブノッチ及び／もしくはサブランナーとに設ける位置決めブロックであって、
該位置決め部を該可動メインフレームの両側に展開する傘骨に設ける。
【図面の簡単な説明】
【００１０】
【図１】この考案による偏心傘であって、四つ折りの折り畳み傘の構造を示した説明図である。
【図２】図１に開示する偏心傘の使用態様を示した説明図である。
【図３】この考案による偏心傘であって、四つ折りの折り畳み傘の第２の実施の形態の構造を示した説明図である。
【図４】この考案による偏心傘であって、四つ折りの折り畳み傘の第３の実施の形態の構造を示した説明図である。
【図５】この考案による偏心傘であって、四つ折りの折り畳み傘の第４の実施の形態の構造を示した説明図である。
【図６】この考案による偏心傘であって、三つ折りの折り畳み傘の構造を示した説明図である。
【図７】この考案による偏心傘であって、三つ折りの折り畳み傘の第２の実施の形態の構造を示した説明図である。
【図８】この考案による偏心傘であって、三つ折りの折り畳み傘の第３の実施の形態の構造を示した説明図である。
【図９】この考案による偏心傘であって、三つ折りの折り畳み傘の第４の実施の形態の構造を示した説明図である。
【図１０】この考案による偏心傘であって、長傘の構造を示した説明図である。
【図１１】この考案による偏心傘をすぼめる途中の状態を示した説明図である。
【図１２】この考案による偏心傘を完全にすぼめた状態を示した説明図である。
【図１３】この考案における傘骨が開傘時に受ける力の状態を示した説明図である。
【図１４】この考案における可動メインフレームの他の実施の形態による構造を示した説明図である。
【図１５】この考案における可動メインフレームのその他の実施の形態による構造を示した説明図である。
【図１６】この考案による偏心傘の他の実施の形態による構造を示した説明図である。
【図１７】この考案による偏心傘のその他の実施の形態による構造を示した説明図である。
【図１８】この考案による偏心傘であって、ジャンプ傘の構造を示した説明図である。
【図１９】この考案による偏心傘であって、ジャンプ傘の第２の実施の形態の構造を示した説明図である。
【図２０】この考案による偏心傘であって、ジャンプ傘の第３の実施の形態の構造を示した説明図である。
【図２１】この考案における位置決め部が位置決めブロックである実施の形態の構造を示した説明図である。
【図２２】図２１に開示する実施の形態の使用態様を示した説明図である。
【図２３】図２１に開示する施の形態の構造の局部拡大説明図である。
【図２４】この考案における位置決めブロックの実施の形態を示した説明図である。
【図２５】この考案における位置決めブロックの第２の実施の形態を示した説明図である。
【図２６】この考案における位置決めブロックの第３の実施の形態を示した説明図である。
【図２７】この考案における位置決めブロックの第４の実施の形態を示した説明図である。
【図２８】この考案における位置決めブロック第５の実施の形態を示した説明図である。
【図２９】この考案における位置決めブロックの分解構造を示した説明図である。
【図３０】この考案による偏心傘であって、位置決め部が位置決めブロックである実施の形態において、傘をすぼめる途中の状態を示した説明図である。
【図３１】この考案による偏心傘であって、位置決め部が位置決めブロックである実施の形態において、傘を完全にすぼめた状態を示した説明図である。
【図３２】この考案による偏心傘であって、位置決め部が位置決めブロックである実施の形態において、傘骨が開傘時に受ける力の状態を示した説明図である。
【図３３】この考案における位置決め部が位置決めブロックである他の実施の形態の構造を示した説明図である。
【図３４】この考案による偏心傘であって、位置決め部が位置決めブロックである実施の形態によるジャンプ傘の構造を示した説明図である。
【図３５】この考案による偏心傘であって、位置決め部が位置決めブロックである実施の形態によるジャンプ傘の第２の実施の形態の構造を示した説明図である。
【図３６】この考案による偏心傘であって、位置決め部が位置決めブロックである実施の形態によるジャンプ傘の第３の実施の形態の構造を示した説明図である。
【考案を実施するための形態】
【００１１】
この考案は、簡易な構造で雨などを遮る面積を効率よく増大することができ、かつ軽く、使いやすい偏心傘を提供するものであって、シャフトと、該シャフトに摺動自在に設けるメインランナーと、該シャフトの上端と、該メインランナーとに接続するとともに、該シャフト側の一端が外方向に延伸する可動メインフレームと、該可動メインフレームの外方向に延伸する一端に設けるサブノッチ及びサブランナーと、該サブノッチ及びサブランナーに接続する傘骨とを含んでなり、かつ該可動メインフレームが第１メイン桿体と、第２メイン桿体と、２本の連結桿とによってなり、２本の該連結桿は下端がそれぞれ該１メイン桿体の内側の一端と該第２メイン桿体とに回動自在に接続し、該第１メイン桿体と、該第２メイン桿体とは、交差させて該シャフトの上端に設け、別途該傘骨を位置決めする位置決め部を設ける。係る傘の構造と特徴を説明するために、具体的な実施例を挙げ、図面を参照にして以下に詳述する。
【実施例１】
【００１２】
図１から図２０に、この考案における位置決め部と位置決め桿に関する実施の形態を開示する。この考案による傘は、シャフト１を具える。シャフト１にはメインランナー２を摺動自在に設け、シャフト１の上端とメインランナー２とに接続する可動メインフレーム３を設ける。可動メインフレーム３はシャフト１側の一端が外方向に延伸する。また、メインフレーム３の外方向に延伸した一端にはサブランナー５とサブノッチ４とを設け、サブランナー５とサブノッチ４とには傘骨６を設ける。傘骨６が支持する傘面１０は、中心がシャフト１から外れた偏心構造とする。
【００１３】
また、この考案による傘は、展開した状態における可動メインフレーム３の両側に傘骨６を開いて位置決めする位置決め部７を設ける。位置決め部７の一端は可動メインフレーム３の両側の傘骨６に回動自在に接続し、他端はシャフト１の上端と、シャフト１の上端に設けたメインノッチ１１と、メインランナー２か、又は可動メインフレーム３上の位置決め桿７に回動自在に接続する。
【００１４】
メインランナー２はシャフト１に摺動自在に設けられ可動メインフレーム３の展開、収納を達成し、かつサブノッチ４とサブランナー５が連動して傘骨６の展開、収納を達成する。
【００１５】
図１、２に開示するように、傘骨６は４つの部分に分かれて折り畳まれ、内側メイン骨６１と、第１中メイン骨６２と、第２中メイン骨６３と、外側メイン骨６４と支持骨６５とを具える。内側メイン骨６１の内側の一端はサブノッチ４に回動自在に接続し、支持骨６５の内側の一端はサブランナー５に回動自在に接続する。また、支持骨６５の外側の一端は第１中メイン骨６２に回動自在に接続し、内側メイン骨６１の外側の一端は支持骨６５のほぼ中間に回動自在に接続する。位置決め桿７は一端が支持骨６５のほぼ中間に回動自在に接続し、かつ他端がメインランナー２に回動自在に接続する。
【００１６】
メインランナー２はシャフト１に摺動自在に設けられ可動メインフレーム３の展開、収納を達成し、ここから内側メイン骨６１と、第１中メイン骨６２と、第２中メイン骨６３と、外側メイン骨６４と支持骨６５の展開、折り畳みを達成する。このため、傘の開傘、閉傘が達成される。
【００１７】
傘面は複数の傘骨６とサブノッチ４上に固定され、傘骨６が支持する傘面の中心と、シャフト１の位置がずれて偏心傘を構成する。
【００１８】
可動メインフレーム３はブリッジ式に延伸する作用を有し、偏心構造を構成する。よって、この考案による偏心傘を使用する場合、十分な遮蔽面積が得られ、かつ傘面の中心が使用者の頭上に位置して雨を遮る効果を高めることができる。
【００１９】
図１３に開示するように、傘を開いた場合、傘骨６の末端が傘面１０の引っ張る力を受け、可動メインフレーム３の両側の傘骨６が位置決め桿７に支持されて位置決めし、傘骨６が緊張して展開し、緩まない。このため傘を開いた場合の安定性を高め、かつ傘面が張って変形しにくくなり、好ましい風への抵抗力が得られる。
【００２０】
図３に、この考案による偏心傘であって、４つの部分によってなる傘骨を折り畳む形態の第２の実施の形態を開示する。図１、２に開示する実施の形態と異なる点は、位置決め桿７の一端を支持骨６５の中間に回動自在に接続し、位置決め桿７の他端をシャフト１の上端に設けたメインノッチ１１に回動自在に接続した点に在る。
【００２１】
図４に、同様にこの考案による偏心傘であって、４つの部分によってなる傘骨を折り畳む形態の第３の実施の形態を開示する。図１、２に開示する実施の形態と異なる点は、位置決め桿７の一端を支持骨６５の中間に回動自在に接続し、位置決め桿７の他端を可動メインフレーム３の上側の支持桿に回動自在に接続した点に在る
【００２２】
図５に、この考案による偏心傘であって、４つの部分によってなる傘骨を折り畳む形態の第４の実施の形態を開示する。図１、２に開示する実施の形態と異なる点は、位置決め桿７の一端を支持骨６５の中間に回動自在に接続し、位置決め桿７の他端を可動メインフレーム３下側の支持桿に回動自在に接続した点に在る。
【００２３】
上述する実施例における構造は、いずれも同様に可動メインフレーム３の両側の傘骨６が位置決め桿７に支持されて位置決めし、傘骨６が緊張して展開し、緩まない。このため傘を開いた場合の安定性を高め、かつ傘面が張って変形しにくくなり、好ましい風への抵抗力が得られる。
【００２４】
図６から図９に、この考案による偏心傘であって、３つの部分によってなる傘骨を折り畳む形態の実施の形態を開示する。この場合、傘骨６の内側メイン骨６１の内側の一端は回動自在にサブノッチ４に接続し、支持骨６５の内側の一端はサブランナー５に回動自在に接続し、かつ支持骨６５の外側の一端は内側メイン骨６１の中間に回動自在に接続する。位置決め桿７の一端はメイン骨６１の中間に回動自在に接続し、かつ、位置決め桿７の他端は同様にシャフト１の上端と、シャフト１の上端に設けたメインノッチ１１と、メインランナー２か、又は可動メインフレーム３の上下支持桿に回動自在に接続する。
【００２５】
上述する構造は、同様に可動メインフレーム３の両側の傘骨６が位置決め桿７に支持されて位置決めし、傘骨６が緊張して展開し、緩まない。このため傘を開いた場合の安定性を高め、かつ傘面が張って変形しにくくなり、好ましい風への抵抗力が得られる。
【００２６】
図１０に、この考案による偏心傘を長傘に応用した実施例を開示する。位置決め桿７は一端を傘骨６のメイン骨に回動自在に接続し、他端をシャフト１の上端に設けたメインノッチ１１に回動自在に接続する。さらに、位置決め操縦桿７の一端は、同様にシャフト１の上端と、メインランナー２か、又は可動メインフレーム３の上下支持桿にそれぞれ回動自在に接続する。
【００２７】
上述する構造は、同様に可動メインフレーム３の両側の傘骨６が位置決め桿７に支持されて位置決めし、傘骨６が緊張して展開し、緩まない。このため傘を開いた場合の安定性を高め、かつ傘面が張って変形しにくくなり、好ましい風への抵抗力が得られる。
【００２８】
図１、１２、１４、１５、１８に開示するように、この考案による偏心傘は、シャフト１の下端に手元８を設ける。手元８の把持部８２は、シャフト１の軸線から外れた位置に在り、即ち、傘を差した場合の重心に当たる位置である。係る手元８の偏心構造によって、傘を持った場合、重心の位置にある把持部８２を持つことから、持ちやすく、安定性が得られる。
【００２９】
図１１、１２に開示するように、傘をすぼめる場合は、可動メインフレーム３と、サブノッチ４と、サブランナー５と、傘骨６とがシャフト１の一方の側に収納される。サブノッチ４はシャフト１の上端より高い位置に在り、このため、可動メインフレーム３と、サブノッチ４と、サブランナー５と、傘骨６とがシャフト１に更に近接した収納状態を達成する。可動メインフレーム３の両側に展開した傘骨は、相対的にシャフト１の他方の側の隙間に収納できる。このため、傘をすぼめた時の体積を縮小することができる。体積が小さくなれば携帯に便利である。
【００３０】
図１２に開示する実施の形態では、シャフト１の下端に設ける手元８が一方に偏った偏心構造を具える、即ち手元８に収納溝８１を形成し、シャフト１は手元８の中心から一方の側にずれた偏心構造とする。係る構造によって傘骨６の末端を収納溝８１に収納することができ、傘を効率よく保護することができ、かつ携帯に便利である。
【００３１】
図１から図１２に開示するように、可動メインフレーム３は第１メイン桿体３１と、第２メイン桿体３２とによってなる。第１メイン桿体３１と、第２メイン桿体３２とは、それぞれ内側の一端がシャフト１の上端とメインランナー２とに回動自在に接続する。また、第１メイン桿体３１と、第２メイン桿体３２とは中間が互いに交錯して回動自在に接続する。さらに、第１メイン桿体３１と、第２メイン桿体３２との外側の一端には、それぞれサブノッチ４とサブランナー５とを設ける。サブノッチ４とサブランナー５には傘骨６を設け、傘骨６が支持する傘面１０の中心はシャフト１の位置から外れて偏心構造を呈して偏心傘を構成する。
【００３２】
図１４、図１６に開示するように、この考案における可動メインフレーム３は第１メイン桿体３１と、第２メイン桿体３２と、２本の連結桿３３とによって構成してもよい。２本の連結桿３３の下端は、それぞれメインランナー２に回動自在に接続する。また、２本の連結桿３３の上端は、それぞれ第１メイン桿体３１の内側の一端と第２メイン桿体３２上に回動自在に接続する。第１メイン桿体３１と、第２メイン桿体３２とは交差してシャフト１の上端に接続し、かつ第１メイン桿体３１と、第２メイン桿体３２との外側に延伸する一端にはサブノッチ４とサブランナー５とに連結するとともに、サブノッチ４とサブランナー５とには傘骨６を設ける。傘骨６によって支持される傘面１０は中心がシャフト１から外れて偏心構造を形成し、このため偏心傘が構成される。
【００３３】
図面においては、位置決め桿７の一端をメインランナー２に回動自在に接続する形態のみを開示する。但し、位置決め桿７は当然のことながら上述するそれぞれの実施の形態にしたがって回動自在に接続することができるが、すでに説明しているので、ここでは、詳細な説明を割愛する。
【００３４】
図１５、１７に開示するように、可動メインフレームは第１メイン桿体３１と、第２メイン桿体３２と、２本の連結桿３３とによって構成してもよい。シャフト１の上端にはメインノッチ１１を設け、２本の連結桿３３は、上端がそれぞれメインノッチ１１に回動自在に接続し、かつ下端がそれぞれ第１メイン桿体３１の内側の一端と第２メイン桿体３２とに回動自在に接続する。また、第１メイン桿体３１と、第２メイン桿体３２とは交差させてメインランナー２に設ける。第１メイン桿体３１と、第２メイン桿体３２との外側の一端には、サブノッチ４とサブランナー５とを設け、サブノッチ４とサブランナー５とには傘骨６を設ける。傘骨６が支持する傘面１０は、中心がシャフト１の位置から外れて偏心構造を呈し、偏心傘を構成する。図面には位置決め桿７の一端をメインランナー２に回動自在に設ける実施の形態のみを開示するが、但しこの形態に限定されることはなく、当然のことながら上述するそれぞれの実施の形態にしたがって回動自在に接続することができるが、すでに説明しているので、ここでは、詳細な説明を割愛する。
【００３５】
図１から図１７に開示する偏心傘は手動で開傘する長傘か、二つ折りの折り畳み傘か、又はさらに多くに折り畳む折り畳み傘であるが、当然のことながら、既存の技術を応用した如何なる半自動開閉の傘の構造、もしくは全自動開閉のジャンプ傘などに幅広く応用することができる。このため、手動で開傘する傘、半自動開閉の傘、もしくは全自動開閉のジャンプ傘の雨などを遮る効果を高めることができ、ユーザーのニーズに応えることができる。
【００３６】
図１８に、自動開閉折り畳み傘に応用した実施の形態を開示する。シャフト１には中ランナー９を追加する。中ランナー９には可動メインフレーム３を回動自在に接続する。また、下メインろくろ２にはプル線２１を回動自在に接続する。プル線２１の外側の一端は可動メインフレーム３に回動自在に接続する。中ランナー９とメインランナーとの間には弾性体を設けて自動開閉の機能を持たせる。同様に、図１９、２０に開示するように、この考案は、例えば全自動開閉、自動開傘などの自動開閉折り畳み傘に応用することができ、ユーザーのニーズに応えることができる。
【実施例２】
【００３７】
図２１、２２、２３に、この考案における位置決め部を位置決めブロックとした実施の形態を開示する。第２の実施の形態による偏心傘は、シャフト１と、シャフト１に摺動自在に設けるメインランナーとを含み、シャフト１にはメインランナーを摺動自在に設ける。シャフト１の上端とメインランナー２には可動メインフレーム３を設ける。可動メインフレーム３はシャフト１の一方の側に設けられたＸ字状に交差する可動メインフレームである。
【００３８】
可動メインフレーム３はシャフト１側が外方向に延伸し、かつ可動メインフレーム３の外方向に延伸する一端にはサブノッチ４とサブランナー５とを設ける。サブノッチ４とサブランナー５とには傘骨６を接続する。
【００３９】
傘骨６は四つ折りの傘骨であって、内側メイン骨６１と、第１中メイン骨６２と、第２メイン中骨６３と、外側メイン骨６４と、支持骨６５とを具えてなる。内側メイン骨６１の外側の一端は第１中メイン骨６２と回動自在に接続し、内側メイン骨６１の内側の一端はサブノッチ４に回動自在に接続する。また、支持骨６５の内側の一端はサブノッチ５回動自在に接続し、かつ支持骨６５の外側の一端は第１中メイン骨６２に回動自在に接続し、内側メイン骨６１の側の一端は支持骨６５の中間の位置に回動自在に接続する。
【００４０】
メインランナー２は、シャフト１に摺動自在に設けられて可動メインフレーム３の交差を開閉する。このためサブノッチ４とサブランナー５とが連動して内側メイン骨６１と、第１中メイン骨６２と、第２メイン中骨６３と、外側メイン骨６４と、支持骨６５との展開、収納が得られ、ここから傘の開閉を達成する。
【００４１】
傘面は複数の傘骨６とサブノッチ４の上面に固定される。傘骨６の支持する傘面は、中心がシャフト１から外れる偏心構造を形成し、このため偏心傘が構成される。即ち、可動メインフレーム３はブリッジ式に延伸する作用を有し、偏心構造を構成する。よって、この考案による偏心傘を使用する場合、十分な遮蔽面積が得られ、かつ傘面の中心が使用者の頭上に位置して雨を遮る効果を高めることができる。
【００４２】
図２１に開示するように、この実施例においては、シャフト１の下端に手元８を設ける。手元８の把持部８２は、シャフト１の軸線から外れた位置に在り、即ち、傘を差した場合の重心に当たる位置である。係る手元８の偏心構造によって、傘を持った場合、重心の位置にある把持部８２を持つことから、持ちやすく、安定性が得られる。
【００４３】
図２１、２２、２３に開示するように、この考案による偏心傘は、可動メインフレーム３の両側の内側メイン骨６１Ａ、６１Ｂと、支持骨６５Ａ、６５Ｂとを展開して開傘するために位置決めする位置決め部７を設けてもよい。位置決め部７は、交差する可動メインフレーム３上に設けるか、もしくは交差する可動メインフレーム３とサブノッチ４及び／もしくはサブランナー２上に設ける。
【００４４】
図２２、２３に開示するように、位置決め部７は可動メインフレーム３のサブノッチ４かサブランナー５が回動自在に接続する一端に突起し、かつ可動メインフレーム３の両側の内側メイン骨６１Ａ、６１Ｂと支持骨６５Ａ、６５Ｂに嵌設され、開傘の位置決めを行う位置決めブロックである。
【００４５】
図３２に開示するように、開傘する場合、傘骨の末端は傘面１０に引っ張られて内側メイン骨６１Ａ、６１Ｂの内側の一端が嵌設された位置決め部７の支持を受けて位置決めされる。よって、傘骨が緊張し、緩まなくなり。傘骨の安定性が得られるとともに、変形しにくくなり、風に対する好ましい抵抗力が得られる。
【００４６】
図２４、２５、２６に開示するように、この実施例における位置決め部７である位置決めブロックと可動メインフレーム３は一体に形成するか、もしくは組み立てて連結する。
【００４７】
図２４に開示する位置決め部７は可動メインフレーム３とリベットで連結するか、係合させるなどの方式で組み立てて連結する。
【００４８】
図２５に開示する位置決め部７は逆Ｕ字状を呈し、可動メインフレーム３と一体に形成される。
【００４９】
図２６に開示する位置決め部７は可動メインフレーム３と一体に形成し、可動メインフレーム３の両横側が突起した形状を呈する。位置決め部７の位置決めブロックは、可動メインフレーム３のサブノッチ４を回動自在に接続する一端にのみに設けるか、もしくは可動メインフレーム３のサブランナー５を回動自在に接続する一端にのみ設けるか、もしくはサブノッチ４と、サブランナー５とに対応する位置にそれぞれ設ける。具体的な形式は、実際の必要に応じて定める。これらの構造は、いずれも安定した開傘を達成する作用を有する。
【００５０】
図２４、２５に開示するように、位置決め部７の外側には交差する可動メインフレーム３に向かって傾斜する傾斜面７１を形成する。傾斜面７１を形成することによって対応する傘骨の開閉の動作が滑らかになり、順調な傘の使用が得られる。
【００５１】
図２７に開示するように、位置決め部７は展開する可動メインフレーム３の両側の傘骨６上に一体に形成するか、もしくは組み立てて設けてもよい。開傘する場合、傘骨６に設けた位置決め部７は可動メインフレーム３作用を受けて支持をして位置決めを達成し、同様に傘面の張力で引っ張られ、傘骨が緊張し、緩まなくなり、傘骨の安定性が得られるとともに、変形しにくくなり、風に対する好ましい抵抗力が得られる。
【００５２】
図２８、２９に開示するように、この実施例においては位置決め部７を可動メインフレーム３に設けた第１位置決めブロック７２と、サブノッチ４かサブランナーに設けた第２位置決めブロック７３とによって構成してもよい。第１位置決めブロック７２と第２位置決めブロック７３とは、対応する傘骨を挟扼して開傘時における位置決めを行い、同様に開傘を安定させる作用を有する。
【００５３】
実施例による偏心傘を使用する場合、使用者はシャフト１を把持する。傘面はシャフト１に対して偏心しているため、使用者はサブノッチ４とサブランナーの下方の位置、即ち傘面の中心に立つ。このため周囲に比較的広い遮蔽面積が得られ、使用者の前後、左右においても雨などを遮るに足りる傘面が得られ、遮蔽の効果を高めることができる。また。偏心傘に設けた位置決め部７が効率よく傘面に張力を与え、傘骨が緊張して緩まなくなり。傘の安定性が得られる。
【００５４】
図３０、図３１に開示するように、傘をすぼめる場合、上述する可動メインフレーム３と、サブノッチ４と、サブランナー５と、傘骨６とがシャフト１の一方の側に収納され、かつサブノッチ４はシャフト１の上端より高いため、可動メインフレーム３と、サブノッチ４と、サブランナー５と、傘骨６とが交差して、シャフト１に対して更に近接して収納される。また、可動メインフレーム３の両側に展開した傘骨は、相対的にシャフト１の他方の側の隙間に収納できる。このため、傘をすぼめた時の体積を縮小することができる。体積が小さくなれば携帯に便利である。
【００５５】
図３１に開示するように、この実施例においては、手元８に収納溝８１を形成し、シャフト１は手元８の中心から一方の側にずれた偏心構造とする。よって、傘骨６の末端を手元８の収納溝８１に収納することができ、このため、傘を状態において体積を縮小させることができ、携帯に便利であるのみならず、傘が予期せず開くという事態の発生を防ぐことができる。
【００５６】
図２１、３０、３１、３３に開示するように。この実施例における偏心傘は長傘か、二つ折りの折り畳み傘か、又はさらに多くに折り畳む折り畳み傘であるが、図３４、３５、３６に開示するように、既存の技術を応用した如何なる半自動開閉の傘の構造、もしくは全自動開閉のジャンプ傘などに幅広く応用することができる。このため、手動で開傘する傘、半自動開閉の傘、もしくは全自動開閉のジャンプ傘の雨などを遮る効果を高めることができ、ユーザーのニーズに応えることができる。
【００５７】
図３４に自動開閉折り畳み傘に応用した実施の形態を開示する。シャフト１には中ランナー９を追加する。中ランナー９には可動メインフレーム３を回動自在に接続する。また、メインランナー２にはプル線２１を回動自在に接続する。プル線２１の外側の一端は可動メインフレーム３に回動自在に接続する。中ランナー９とメインランナー２との間には弾性体を設けて自動開閉の機能を持たせる。同様に、図３５、３６には開示するように、この実施例の偏心傘は全自動開閉、自動開傘形式に応用することができ、ユーザーのニーズに応えることができる。
【００５８】
以上はこの考案の好ましい実施の形態であって、この考案の実施の範囲を限定するものではない。よって、当業者のなし得る変更、修正であって、この考案の精神の下においてなされ、かつこの考案に対して均等の効果を有するものは、いずれもこの考案の実用新案登録の範囲に含まれるものとする。
【符号の説明】
【００５９】
１       シャフト
１０     傘面
１１     メインノッチ
２       メインランナー
２１     プル線
３       可動メインフレーム
３１     第１メイン桿体
３２     第２メイン桿体
３３     連結桿
４       サブノッチ
５       サブランナー
６       傘骨
６１     内側メイン骨
６１Ａ   内側メイン骨
６１Ｂ   内側メイン骨
６２     第１中メイン骨
６３     第２中メイン骨
６４     外側メイン骨
６５     支持骨
６５Ａ   支持骨
６５Ｂ   支持骨
７       位置決め桿
７       位置決め部
７１     傾斜面
７２     第１位置決めブロック
７３     第２位置決めブロック
８       手元
８１     収納溝
９       中ランナー
８２      把持部
【図１】
0003198071.tif 000003
【図２】
0003198071.tif 000004
【図３】
0003198071.tif 000005
【図４】
0003198071.tif 000006
【図５】
0003198071.tif 000007
【図６】
0003198071.tif 000008
【図７】
0003198071.tif 000009
【図８】
0003198071.tif 000010
【図９】
0003198071.tif 000011
【図１０】
0003198071.tif 000012
【図１１】
0003198071.tif 000013
【図１２】
0003198071.tif 000014
【図１３】
0003198071.tif 000015
【図１４】
0003198071.tif 000016
【図１５】
0003198071.tif 000017
【図１６】
0003198071.tif 000018
【図１７】
0003198071.tif 000019
【図１８】
0003198071.tif 000020
【図１９】
0003198071.tif 000021
【図２０】
0003198071.tif 000022
【図２１】
0003198071.tif 000023
【図２２】
0003198071.tif 000024
【図２３】
0003198071.tif 000025
【図２４】
0003198071.tif 000026
【図２５】
0003198071.tif 000027
【図２６】
0003198071.tif 000028
【図２７】
0003198071.tif 000029
【図２８】
0003198071.tif 000030
【図２９】
0003198071.tif 000031
【図３０】
0003198071.tif 000032
【図３１】
0003198071.tif 000033
【図３２】
0003198071.tif 000034
【図３３】
0003198071.tif 000035
【図３４】
0003198071.tif 000036
【図３５】
0003198071.tif 000037
【図３６】
0003198071.tif 000038